(57)【要約】【課題】筐体を小型化することが可能であるとともに、十分な防水性能を得ることが可能な筐体防水構造を提供する。【解決手段】相互に対向するように組み付けられて筐体１ａを構成するフロント側筐体構成部材（例えば、フロント側板金筐体構成部９及びフロント側樹脂筐体構成部１０からなる）及びリア側筐体構成部材５と、筐体１ａの内側に配設される内側配設部材と、フロント側筐体構成部材及びリア側筐体構成部材５の双方に対して密着する筐体防水ガスケット１２とを備える。筐体防水ガスケット１２の配設領域４０は、少なくとも、内側配設部材の外周面１５と、フロント側筐体構成部材の天板の内面１４と、により画定されている。配設領域４０に配設された筐体防水ガスケット１２が、フロント側筐体構成部材の天板の内面１４と、リア側筐体構成部材５の天板の内面１６と、に挟まれることにより圧縮状態となって、これら双方の内面１４、１６に対して密着している。【選択図】図６
2010147551.tif 000002
【特許請求の範囲】
【請求項１】
相互に対向するように組み付けられて筐体を構成する第１及び第２筐体構成部材と、前記筐体の内側に配設される内側配設部材と、前記第１及び第２筐体構成部材の双方に対して密着する筐体防水ガスケットと、を備え、
前記筐体防水ガスケットの配設領域は、少なくとも、前記内側配設部材の外周面と、前記第１筐体構成部材の天板の内面と、により画定され、
前記配設領域に配設された前記筐体防水ガスケットが、前記第１筐体構成部材の天板の前記内面と、前記第２筐体構成部材の天板の内面と、に挟まれることにより圧縮状態となって、これら双方の内面に対して密着していることを特徴とする筐体防水構造。
【請求項２】
前記筐体防水ガスケットを前記配設領域に配設した状態で、かつ、少なくとも前記筐体防水ガスケットを前記圧縮状態とする前の状態では、
前記内側配設部材の前記外周面と前記筐体防水ガスケットの内周面との間にはクリアランスが存在することを特徴とする請求項１に記載の筐体防水構造。
【請求項３】
前記配設領域は、前記内側配設部材の前記外周面と、前記第１筐体構成部材の天板の前記内面と、前記第１筐体構成部材の側壁部の内周面と、により画定されていることを特徴とする請求項１に記載の筐体防水構造。
【請求項４】
前記筐体防水ガスケットを前記配設領域に配設した状態で、かつ、少なくとも前記筐体防水ガスケットを前記圧縮状態とする前の状態では、
前記内側配設部材の前記外周面と、前記筐体防水ガスケットの内周面との間、
並びに、
前記筐体防水ガスケットの外周面と、前記第１筐体構成部材の前記側壁部の前記内周面との間に、
それぞれクリアランスが存在することを特徴とする請求項３に記載の筐体防水構造。
【請求項５】
前記筐体防水ガスケットの断面形状は円形であることを特徴とする請求項１乃至４の何れか一項に記載の筐体防水構造。
【請求項６】
前記第１及び第２筐体構成部材の各々において、少なくとも前記筐体防水ガスケットを圧縮する双方の内面は、金属板金からなることを特徴とする請求項１乃至５の何れか一項に記載の筐体防水構造。
【請求項７】
前記第１及び第２筐体構成部材の双方の前記金属板金は、前記筐体防水ガスケットの近傍位置から前記筐体防水ガスケットを圧縮する方向又はその反対方向に向けて起立するように折り曲げ形成された起立部を有することを特徴とする請求項６に記載の筐体防水構造。
【請求項８】
前記第１及び第２筐体構成部材のうちの何れか一方の筐体構成部材の前記起立部の先端面が突き当てられて、当該起立部に対し反力を与える反力付与面が、
前記第１及び第２筐体構成部材のうちの何れか他方の筐体構成部材に形成されていることを特徴とする請求項７に記載の筐体防水構造。
【請求項９】
前記第１及び第２筐体構成部材のうちの前記何れか他方の筐体構成部材には、前記何れか一方の筐体構成部材の前記起立部の先端面に形成された切り欠き部に対して嵌合する嵌合フックが形成され、該嵌合フックに前記反力付与面が形成されていることを特徴とする請求項８に記載の筐体防水構造。
【請求項１０】
複数の部品が総体として前記内側配設部材の前記外周面を構成していることを特徴とする請求項１乃至９の何れか一項に記載の筐体防水構造。
【請求項１１】
前記内側配設部材の少なくとも一部分は、前記筐体の厚さ方向において相互に重ねられた複数の部品により構成された層構造をなし、
前記層構造の外周面により、前記内側配設部材の前記外周面の少なくとも一部が構成されていることを特徴とする請求項１０に記載の筐体防水構造。
【請求項１２】
請求項１乃至１１の何れか一項に記載の筐体防水構造を備えることを特徴とする携帯機器。
【請求項１３】
請求項１乃至１１の何れか一項に記載の筐体防水構造を備えることを特徴とする携帯電子機器。
【請求項１４】
第１及び第２筐体構成部材を相互に対向するように組み付けることにより構成される筐体内に位置するように、前記第１筐体構成部材に内側配設部材を配設する工程と、
前記第１及び第２筐体構成部材の双方に対して密着する筐体防水ガスケットを、少なくとも、前記内側配設部材の外周面と、前記第１筐体構成部材の天板の内面と、により画定された配設領域に配設する工程と、
前記配設領域に配設された前記筐体防水ガスケットを、前記第１筐体構成部材の天板の前記内面と、前記第２筐体構成部材の天板の内面と、により挟んで圧縮状態とし、これら双方の内面に対して密着させる工程と、
を備えることを特徴とする筐体防水構造の組み立て方法。
【請求項１５】
第１及び第２筐体構成部材を相互に対向するように組み付けることにより構成される筐体を備える携帯機器の前記筐体内に位置するように、前記第１筐体構成部材に内側配設部材を配設する工程と、
前記第１及び第２筐体構成部材の双方に対して密着する筐体防水ガスケットを、少なくとも、前記内側配設部材の外周面と、前記第１筐体構成部材の天板の内面と、により画定された配設領域に配設する工程と、
前記配設領域に配設された前記筐体防水ガスケットを、前記第１筐体構成部材の天板の前記内面と、前記第２筐体構成部材の天板の内面と、により挟んで圧縮状態とし、これら双方の内面に対して密着させる工程と、
を備えることを特徴とする携帯機器の製造方法。
【発明の詳細な説明】
【技術分野】
【０００１】
本発明は、筐体防水構造、これを備える携帯機器、これを備える携帯電子機器、筐体防水構造の組み立て方法、及び、携帯機器の製造方法に関する。
【背景技術】
【０００２】
携帯電子機器などの携帯機器の使用状況を鑑みれば、該携帯機器が水没する事故の発生を完全に防ぐことは難しい。携帯電子機器が水没し、その筐体内部に導電性を有する液体が侵入すると、例えば、電気回路のショート（短絡）、デバイスの機能劣化、腐食等が起き、携帯電子機器の一部又は全ての機能が使用不可能となる事態を引き起こす場合がある。同様に、電子機器以外の携帯機器であっても、その筐体内部への浸水が発生すると、例えば、内部の部品の腐食等が起き、その携帯機器の一部又は全ての機能が使用不可能となる事態を引き起こす場合がある。
【０００３】
このため、携帯機器が水没しても筐体内部へ浸水が起きないよう、携帯機器の筐体は防水構造（以下、筐体防水構造）を備えることが望ましい。
【０００４】
図７は一般的な筐体防水構造を示す図であり、携帯電子機器の要部の断面を示す。
【０００５】
図７の筐体防水構造では、相互に組み付けられて筐体を構成する表裏一対の筐体構成部材１０１、１０２のうち、筐体防水ガスケット１９を組み込む側の筐体構成部材１０１には筐体防水ガスケット１９が入り込む溝２０が、他方の筐体構成部材１０２には筐体防水ガスケット１９を押さえ付けるリブ２１が、それぞれの周縁部に環状に形成されている。
【０００６】
筐体構成部材１０１、１０２は、例えば、樹脂材料（高分子材料）、或いは、マグネシウムなどの成型品からなる。筐体防水ガスケット１９としては、例えば、断面形状が、図７に示すような若葉形状（溝２０の底面への接触面が凹であり、リブ２１の頂部への接触面が凸である形状）、或いはダイヤ形状などのものが用いられる。
【０００７】
このような筐体防水構造では、溝２０内に筐体防水ガスケット１９を配置した状態で、筐体構成部材１０１、１０２を相互に嵌合させて組み付けることにより、リブ２１が筐体防水ガスケット１９を溝２０の底面へ押し付けて、該筐体防水ガスケット１９を圧縮状態にさせる。これにより、筐体防水ガスケット１９は、溝２０の底面及びリブ２１の頂部の双方に対して密着状態となって、シール機能を果たす。よって、筐体構成部材１０１と筐体構成部材１０２との嵌合部の隙間からの浸水を抑制することが可能となる。
【０００８】
また、特許文献１には、相互に組み付けられて筐体を構成する表裏一対の半筐体のうち、一方の半筐体の開口端面の全周に亘って形成されたＵ字溝内にパッキンを配置し、このパッキンを他方の半筐体の開口端面により押圧した構造の筐体防水構造が開示されている。
【０００９】
また、特許文献２には、その段落番号０００７に記載されているように、表示パネル収納部に配置されたパッキン内に、表示パネルを上側から圧入することにより、表示パネルをパッキンを介して表示パネル収容部に固定する筐体防水構造が開示されている。
【００１０】
また、特許文献３には、アンテナコネクタと、アンテナコネクタの接地導体が取り付けられる取付金具と、取付金具が取り付けられる金属製の筐体片と、取付金具と筐体片との間に介挿されるＯリングと、を備える無線端末が開示されている。特許文献３の技術の取付作業では、その段落番号００１９〜００２０に記載されているように、先ず、筐体片に形成されたＯリング配置部にＯリングを配置する。次に、取付金具と筐体片とによりＯリングを押しつぶしながら取付金具を筐体片にねじで止着する。次に、取付金具に形成された孔を介してアンテナコネクタの係止部を取付金具と筐体片との隙間に入れ込み、Ｏリングの内側に配置させる。
【００１１】
また、特許文献４には、ガスケットをそれぞれ金属板からなる表裏一対の筐体構成部材（特許文献４の図２等の本体１６、キャップ３０）により挟む構造の防水構造が開示されている。
【特許文献１】実開平０６−６００２７号公報
【特許文献２】特開２０００−２２３８５８号公報
【特許文献３】特開２００８−２５２７１８号公報
【特許文献４】特開２００６−１４６２３５号公報
【発明の開示】
【発明が解決しようとする課題】
【００１２】
ところで、携帯電子機器などの携帯機器に対しては、その携帯性の向上のため、常に、小型化の要求がある。
【００１３】
しかしながら、図７の筐体防水構造では、溝２０の内側に内壁１０３が必要となるため、その内壁１０３の分だけ、筐体の平面寸法が増大してしまうという課題があるため、筐体の小型化に際しての制約となっていた。
【００１４】
特許文献１の技術でも、図７の構造と同様の課題がある。
【００１５】
また、特許文献２の技術では、表示パネル収納部に配置されたパッキン内に表示パネルを上側から圧入する際に、パッキンがよじれてしまい、所望の防水性能が得られないことがあるという課題がある。
【００１６】
また、特許文献３の技術では、上述したような手順で取付を行うため、Ｏリングを配置する段階ではＯリングの内側には何もない状態である。このため、Ｏリングの位置決めが困難である。Ｏリングの位置がずれると、Ｏリングが他の部分に干渉してしまい、所望の防水性能が得られないことがあるという課題がある。なお、特許文献３の技術は、そもそも、筐体を構成する一対の筐体構成部材の間の防水を図る技術とは異なる。
【００１７】
また、特許文献４の技術では、ガスケットを金属板（特許文献４の図２等の本体１６）の端面で押圧する構成であるため、ガスケットに対して局所的に強い圧力が加わる。このため、ガスケットの材質によっては、ガスケットが切断されてしまい、所望の防水性能が得られないという課題がある。
【００１８】
以上のような課題を解決するため、本発明は、筐体を小型化することが可能であるとともに、十分な防水性能を得ることが可能な筐体防水構造、これを備える携帯機器、これを備える携帯電子機器、筐体防水構造の組み立て方法、及び、携帯機器の製造方法を提供することを目的とする。
【課題を解決するための手段】
【００１９】
本発明は、相互に対向するように組み付けられて筐体を構成する第１及び第２筐体構成部材と、前記筐体の内側に配設される内側配設部材と、前記第１及び第２筐体構成部材の双方に対して密着する筐体防水ガスケットと、を備え、前記筐体防水ガスケットの配設領域は、少なくとも、前記内側配設部材の外周面と、前記第１筐体構成部材の天板の内面と、により画定され、前記配設領域に配設された前記筐体防水ガスケットが、前記第１筐体構成部材の天板の前記内面と、前記第２筐体構成部材の天板の内面と、に挟まれることにより圧縮状態となって、これら双方の内面に対して密着していることを特徴とする筐体防水構造を提供する。
【００２０】
また、本発明は、本発明の筐体防水構造を備えることを特徴とする携帯機器を提供する。
【００２１】
また、本発明は、本発明の筐体防水構造を備えることを特徴とする携帯電子機器を提供する。
【００２２】
また、本発明は、第１及び第２筐体構成部材を相互に対向するように組み付けることにより構成される筐体内に位置するように、前記第１筐体構成部材に内側配設部材を配設する工程と、前記第１及び第２筐体構成部材の双方に対して密着する筐体防水ガスケットを、少なくとも、前記内側配設部材の外周面と、前記第１筐体構成部材の天板の内面と、により画定された配設領域に配設する工程と、前記配設領域に配設された前記筐体防水ガスケットを、前記第１筐体構成部材の天板の前記内面と、前記第２筐体構成部材の天板の内面と、により挟んで圧縮状態とし、これら双方の内面に対して密着させる工程と、を備えることを特徴とする筐体防水構造の組み立て方法を提供する。
【００２３】
また、本発明は、第１及び第２筐体構成部材を相互に対向するように組み付けることにより構成される筐体を備える携帯機器の前記筐体内に位置するように、前記第１筐体構成部材に内側配設部材を配設する工程と、前記第１及び第２筐体構成部材の双方に対して密着する筐体防水ガスケットを、少なくとも、前記内側配設部材の外周面と、前記第１筐体構成部材の天板の内面と、により画定された配設領域に配設する工程と、前記配設領域に配設された前記筐体防水ガスケットを、前記第１筐体構成部材の天板の前記内面と、前記第２筐体構成部材の天板の内面と、により挟んで圧縮状態とし、これら双方の内面に対して密着させる工程と、を備えることを特徴とする携帯機器の製造方法を提供する。
【発明の効果】
【００２４】
本発明によれば、筐体を小型化することが可能となり、ひいては携帯機器、携帯電子機器を小型化することが可能となる。しかも、十分な防水性能を得ることが可能である。
【発明を実施するための最良の形態】
【００２５】
以下、図面を用いて実施形態を説明する。なお、すべての図面において、同様の構成要素には同一の符号を付し、適宜に説明を省略する。
【００２６】
図１は実施形態に係る筐体防水構造を備える携帯機器（特に携帯電子機器）の好適な一例としての携帯電話機１００の全体斜視図、図２及び図３は携帯電話機１００が備える一対のユニット２、３のうち一方のユニット２の分解斜視図である。また、図４はユニット２の要部拡大の分解斜視図、図５は図４の状態から筐体防水ガスケット１２を配設領域４０（図４）へ配設した状態を示す斜視図、図６は筐体構成部材４、５を組み付けた状態での図２のＡ−Ａ線に沿った断面図である。
【００２７】
本実施形態に係る筐体防水構造は、相互に対向するように組み付けられて筐体１ａを構成する第１及び第２筐体構成部材（フロント側筐体構成部材４及びリア側筐体構成部材５）と、筐体１ａの内側に配設される内側配設部材と、内側配設部材の外周の外側で第１及び第２筐体構成部材（フロント側筐体構成部材４及びリア側筐体構成部材５）の双方に対して密着する筐体防水ガスケット１２と、を備える。筐体防水ガスケット１２の配設領域４０は、少なくとも、内側配設部材の外周面１５と、第１筐体構成部材（例えば、フロント側筐体構成部材４）の天板の内面１４と、により画定されている。配設領域４０に配設された筐体防水ガスケット１２が、第１筐体構成部材（例えば、フロント側筐体構成部材４）の天板の内面１４と、第２筐体構成部材（例えば、リア側筐体構成部材５）の天板の内面１６と、に挟まれることにより圧縮状態となって、これら双方の内面１４、１６に対して密着している。また、本実施形態に係る携帯機器（例えば、携帯電話機１００）は、本実施形態に係る筐体防水構造を備える。また、本実施形態に係る携帯電子機器（例えば、携帯電話機１００）は、本実施形態に係る筐体防水構造を備える。また、本実施形態に係る筐体防水構造の組み立て方法は、第１及び第２筐体構成部材（フロント側筐体構成部材４及びリア側筐体構成部材５）を相互に対向するように組み付けることにより構成される筐体１ａ内に位置するように、第１筐体構成部材（例えば、フロント側筐体構成部材４）に内側配設部材を配設する工程と、第１及び第２筐体構成部材（フロント側筐体構成部材４及びリア側筐体構成部材５）の双方に対して密着する筐体防水ガスケット１２を、少なくとも、内側配設部材の外周面１５と、第１筐体構成部材（例えば、フロント側筐体構成部材４）の天板の内面１４と、により画定された配設領域４０に配設する工程と、配設領域４０に配設された筐体防水ガスケット１２を、第１筐体構成部材（例えば、フロント側筐体構成部材４）の天板の内面１４と、第２筐体構成部材（例えば、リア側筐体構成部材５）の天板の内面１６と、により挟んで圧縮状態とし、これら双方の内面１４、１６に対して密着させる工程と、を備える。また、本実施形態に係る携帯機器の製造方法は、第１及び第２筐体構成部材（フロント側筐体構成部材４及びリア側筐体構成部材５）を相互に対向するように組み付けることにより構成される筐体１ａを備える携帯機器（例えば、携帯電話機１００）の筐体１ａ内に位置するように、第１筐体構成部材（例えば、フロント側筐体構成部材４）に内側配設部材を配設する工程と、第１及び第２筐体構成部材（フロント側筐体構成部材４及びリア側筐体構成部材５）の双方に対して密着する筐体防水ガスケット１２を、少なくとも、内側配設部材の外周面１５と、第１筐体構成部材（例えば、フロント側筐体構成部材４）の天板の内面１４と、により画定された配設領域４０に配設する工程と、配設領域４０に配設された筐体防水ガスケット１２を、第１筐体構成部材（例えば、フロント側筐体構成部材４）の天板の内面１４と、第２筐体構成部材（例えば、リア側筐体構成部材５）の天板の内面１６と、により挟んで圧縮状態とし、これら双方の内面１４、１６に対して密着させる工程と、を備える。以下、詳細に説明する。
【００２８】
本実施形態に係る携帯電話機１００は、レシーバー機能（受話機能）を有するＲＥＣユニット１と、マイク機能（送話機能）を有するＭＩＣユニット２と、を備える。これらＲＥＣユニット１とＭＩＣユニット２とは、両ユニット１、２を携帯電話機１００の長手方向（図１のトップ側又はボトム側）へ相対的にスライド可能とさせる機能を有するスライドユニット３により相互に連結されている。ＲＥＣユニット１及びＭＩＣユニット２は、それぞれ扁平な直方体形状に形成され、例えば、それらの角の部分には丸みが付けられている（Ｒ形状とされている）。
【００２９】
以下では、ＲＥＣユニット１の構造を詳述することにより、このＲＥＣユニット１が備える筐体防水構造を説明する。
【００３０】
図２及び図３に示すように、ＲＥＣユニット１の筐体１ａは、表裏一対のフロント側筐体構成部材（第１筐体構成部材）４及びリア側筐体構成部材（第２筐体構成部材）５を相互に対向するように組み付けることにより構成されている。筐体１ａは、ＲＥＣユニット１の外形を形成するため、扁平な直方体形状に形成され、該筐体１ａの角の部分には丸みが付けられている。
【００３１】
筐体１ａの内側には内側配設部材（後述）が配設されている。ＲＥＣユニット１は、更に、この内側配設部材の外周の外側でフロント側筐体構成部材４及びリア側筐体構成部材５の双方に対して密着する筐体防水ガスケット１２を備える。
【００３２】
本実施形態の場合、例えば、フロント側筐体構成部材４は、ステンレスなどの金属板金をプレス成型することにより形成されたフロント側板金筐体構成部９と、このフロント側板金筐体構成部９の側壁部を包むような形状に成型された樹脂からなるフロント側樹脂筐体構成部１０と、により構成されている。
【００３３】
このようなフロント側筐体構成部材４は、例えば、フロント側樹脂筐体構成部１０を成型するための金型内にフロント側板金筐体構成部９を配置した状態で、金型内に溶融樹脂を射出することにより、フロント側樹脂筐体構成部１０となる樹脂材料内にフロント側板金筐体構成部９を一体成型（インサート成型）することにより作成することができる（図６参照）。図２及び図３では、便宜上、フロント側板金筐体構成部９の単体での外形を示しているが、実際には、例えば、フロント側板金筐体構成部９の一部は、フロント側樹脂筐体構成部１０の内部に埋設されている。
【００３４】
例えば、フロント側板金筐体構成部９は天板及び側壁部（この側壁部は、後述する起立部１７ａを構成する）からなり、フロント側板金筐体構成部９の天板はフロント側筐体構成部材４の天板を構成する。また、フロント側樹脂筐体構成部１０の側壁部は、フロント側板金筐体構成部９の側壁部の内周側及び外周側を包んでおり（図６参照）、フロント側筐体構成部材４の側壁部、ひいては筐体１ａの側壁部を構成する。
【００３５】
このようなフロント側筐体構成部材４及びリア側筐体構成部材５からなる筐体１ａは、表示デバイスモジュール７を含む各種機能デバイス及び各種構造部品を内蔵している。
【００３６】
図２及び図３に示すように、フロント側板金筐体構成部９において、表示デバイスモジュール７の表示画面と対応する位置には開口部９ａが形成されている。フロント側板金筐体構成部９の天面の外側表面には、開口部９ａを閉塞するように保護スクリーン８が貼付されている。
【００３７】
内側配設部材は、例えば、スピーカ２２を含む電気部品が搭載された主回路ＦＰＣ（フレキシブルプリント回路）基板６と、スピーカ２２を位置決めするスピーカフレーム２４と、表示デバイスモジュール７と、この表示デバイスモジュール７を保持するＬＣＤ（Ｌｉｑｕｉｄ  Ｃｒｙｓｔａｌ  Ｄｉｓｐｌａｙ）フレーム２５と、タッチセンサーモジュール２３と、このタッチセンサーモジュール２３を保持するタッチセンサーフレーム２６と、を備えて構成されている。
【００３８】
この内側配設部材は、フロント側筐体構成部材４の側壁部の内側に配設されている。すなわち、フロント側筐体構成部材４の天板の内面には、それぞれ樹脂製のスピーカフレーム２４、ＬＣＤフレーム２５、及びタッチセンサーフレーム２６が、例えば両面テープ等により固定されている。これらスピーカフレーム２４、ＬＣＤフレーム２５、及びタッチセンサーフレーム２６が、それぞれスピーカ２２、表示デバイスモジュール７、及びタッチセンサーモジュール２３を、フロント側筐体構成部材４に対して拘束し位置決めする。
【００３９】
スピーカフレーム２４、ＬＣＤフレーム２５、及びタッチセンサーフレーム２６はこの順で互いに隣接するよう相互に重ねられて一体的に配置されている。
【００４０】
これらフレーム２４、２５、２６の総体部分の外周面１５（図４、図６参照）は、一連のループ形状をなしている。そして、この外周面１５は、内側配設部材の外周面でもある。このため、「内側配設部材の外周面１５」のような記載も用いる。
【００４１】
なお、内側配設部材の外周面１５は、フレーム２４、２５、２６の総体部分の外周面１５であるため、複数の部品（例えば、フレーム２４、２５、２６）が総体として内側配設部材の外周面１５を構成している、と言える。さらには、内側配設部材の少なくとも一部分は、筐体１ａの厚さ方向において相互に重ねられた複数の部品（例えば、フレーム２４、２５、２６）により構成された層構造をなし、この層構造の外周面により、内側配設部材の外周面の少なくとも一部（例えば、全体）が構成されている、と言える。
【００４２】
また、リア側筐体構成部材５は、ステンレスなどの金属板金をプレス成型することにより形成されている。リア側筐体構成部材５は、天板及び側壁部からなる。
【００４３】
このように、フロント側筐体構成部材４及びリア側筐体構成部材５の天板には金属板金のプレス成型品を用いているため、樹脂材料（高分子材料）或いはマグネシウム材を用いる場合と比べ、天板の肉厚を格段に薄くすることができる。
【００４４】
なお、フロント側筐体構成部材４は、その天板の内面１４（図６）で筐体防水ガスケット１２を圧縮する。また、リア側筐体構成部材５は、その天板の内面１６（図６）で筐体防水ガスケット１２を圧縮する。本実施形態の場合、これら内面１４、１６は、それぞれリブ２１（図７）に相当するような凸部を有さない平坦面に形成されている。これにより、筐体１ａの薄型化が実現されている。
【００４５】
ここで、表示デバイスモジュール７の配設領域でのＲＥＣユニット１（筐体１ａ）の厚さは、保護スクリーン８、表示デバイスモジュール７、主回路ＦＰＣ基板６及びリア側筐体構成部材５の天板のみの厚さを足し合わせた厚さとし、且つ、主回路ＦＰＣ基板６において表示デバイスモジュール７の配設領域と対応する位置には電気部品を搭載しないようにしたことにより、極力薄くされている。本実施形態に係る筐体防水構造は、このように極力厚みを小さくした構成の筐体１ａに対しても好適に適用することができる。
【００４６】
筐体防水ガスケット１２は、例えば、内側配設部材の外周面１５に沿って（ただし、後述するように、例えば、外周面１５から間隔を空けて）配設されるループ形状のものである。具体的には、筐体防水ガスケット１２は、例えば、図２及び図３に示すように、矩形枠状に形成され、且つ、例えば、角の部分に丸みが形成されている（Ｒ形状とされている）。従って、筐体防水ガスケット１２の全体的な平面形状は、例えば、左右対称且つ上下対称となっている。
【００４７】
本実施形態の場合、筐体防水ガスケット１２の断面形状は、例えば、円形であるものとする。なお、図６では、筐体防水ガスケット１２が圧縮された状態を示しているため、筐体防水ガスケット１２の断面形状が楕円形となっている。
【００４８】
この筐体防水ガスケット１２の断面の寸法（例えば、円の径）は、該筐体防水ガスケット１２の全周に亘って一定であるものとする。筐体防水ガスケット１２の断面の直径は、フロント側筐体構成部材４とリア側筐体構成部材５とを組み付けた状態でのフロント側筐体構成部材４の内面１４とリア側筐体構成部材５の内面１６との距離に、筐体防水ガスケット１２がこれら内面１４、１６の間でシール機能を発揮及び維持するため該筐体防水ガスケット１２に与えられる圧縮量を足した寸法に設定されている。
【００４９】
このような筐体防水ガスケット１２は、フロント側筐体構成部材４の天板の内面１４と、リア側筐体構成部材５の天板の内面１６と、の双方に対して密着してシール機能を発揮できるものであれば、その材質は問わない。例えば、軟質ガスケット、セミメタルガスケット、メタルガスケットの何れでも良いし、それ以外のガスケットであっても良い。
【００５０】
筐体防水ガスケット１２が配設される配設領域４０は、本実施形態の場合、例えば、フロント側筐体構成部材４に形成されている。この配設領域４０は、例えば、内側配設部材の外周面１５と、フロント側筐体構成部材４の天板の内面１４と、フロント側筐体構成部材４の側壁部の内周面１３と、により画定された、ループ状の溝状の領域である。なお、配設領域４０は、筐体１ａの周縁部に沿って位置することにもなる。
【００５１】
図６に示すように、例えば、フロント側板金筐体構成部９の天板の内面１４において、外周面１５よりも外側の部分は、その全周に亘って、筐体１ａの内側へ露出している。また、このように露出する内面１４の外周端は、フロント側筐体構成部材４の側壁部の内周面１３に連なっている。これにより、配設領域４０は、外周面１５を内壁、内面１４を底面、内周面１３を外壁とする溝状の閉ループ形状に形成されている。
【００５２】
なお、上述のように、フレーム２４、２５、２６の総体部分の外周面１５は、内側配設部材の外周面１５である。従って、内側配設部材を構成する全ての部品は、配設領域４０には配設されないこととなる。
【００５３】
また、リア側筐体構成部材５の側壁部（後述する起立部１７ｂ）は、フロント側筐体構成部材４の側壁部の内周面１３に隣接して配置されている。また、リア側筐体構成部材５において側壁部（起立部１７ａ）よりも内側の部分は、リア側筐体構成部材５の天板を構成し、該天板の内面１６が筐体防水ガスケット１２に相対して該筐体防水ガスケット１２に接触する。
【００５４】
配設領域４０に筐体防水ガスケット１２を配設した状態で、フロント側筐体構成部材４とリア側筐体構成部材５とを相互に対向させて組み付けることにより、筐体防水ガスケット１２は、フロント側筐体構成部材４の天板の内面１４と、リア側筐体構成部材５の天板の内面１６と、に挟まれることにより圧縮状態となって、これら双方の内面に対して密着している。すなわち、筐体防水ガスケット１２は、筐体１ａの周縁部において、内面１４、１６の双方に対して、それぞれ閉ループとなる線状面（極小幅の面）で密着し、シール機能を発揮する。
【００５５】
ここで、筐体防水ガスケット１２を配設領域４０に配設した状態で、かつ、少なくとも筐体防水ガスケット１２を内面１４と内面１６とにより挟んで圧縮状態とする前の状態では、内側配設部材の外周面１５と筐体防水ガスケット１２の内周面との間にはクリアランス２７（図６参照）が、筐体防水ガスケット１２の外周面とフロント側筐体構成部材４の側壁部の内周面１３との間にはクリアランス２８（図６参照）が、それぞれ存在するように、フロント側筐体構成部材４、リア側筐体構成部材５及び筐体防水ガスケット１２の寸法及び形状がそれぞれ設定されている。
【００５６】
本実施形態の場合、例えば、図６に示すように、配設領域４０に配設した筐体防水ガスケット１２を内面１４と内面１６とにより挟んで圧縮状態した状態でも、内側配設部材の外周面１５と筐体防水ガスケット１２の内周面との間にはクリアランス２７が、筐体防水ガスケット１２の外周面とフロント側筐体構成部材４の側壁部の内周面１３との間にはクリアランス２８が、それぞれ存在するように、フロント側筐体構成部材４、リア側筐体構成部材５及び筐体防水ガスケット１２の寸法及び形状がそれぞれ設定されている。
【００５７】
なお、本実施形態の場合、フロント側筐体構成部材４の内面１４は、金属板金からなるフロント側板金筐体構成部９により構成され、リア側筐体構成部材５は内面１６を含む全体が金属板金からなる。すなわち、フロント側筐体構成部材４及びリア側筐体構成部材５の各々において、少なくとも筐体防水ガスケット１２を圧縮する双方の内面１４、１６は、金属板金からなる、と言える。このため、これら内面１４、１６の剛性が増すので、フロント側筐体構成部材４及びリア側筐体構成部材５によって、より強い力で筐体防水ガスケット１２を圧縮できるようになっている。
【００５８】
また、フロント側筐体構成部材４の、金属板金からなるフロント側板金筐体構成部９は、筐体防水ガスケット１２の近傍位置から筐体防水ガスケット１２を圧縮する方向に向けて起立するように折り曲げ形成された起立部１７ａを有する。他方、金属板金からなるリア側筐体構成部材５は、筐体防水ガスケット１２の近傍位置から筐体防水ガスケット１２を圧縮する方向の反対方向に向けて起立するように折り曲げ形成された起立部１７ｂを有する。すなわち、フロント側筐体構成部材４及びリア側筐体構成部材５の双方の金属板金は、筐体防水ガスケット１２の近傍位置から筐体防水ガスケット１２を圧縮する方向又はその反対方向に向けて起立するように折り曲げ形成された起立部１７ａ、１７ｂを有する、と言える。なお、起立部１７ａは、フロント側筐体構成部材４の外周に沿ってループ状に延在するように形成され、フロント側筐体構成部材４の側壁部内に埋設されている。また、起立部１７ｂは、リア側筐体構成部材５の外周に沿ってループ状に延在するように形成され、フロント側筐体構成部材４の側壁部の内周面１３に沿って配設されている。
【００５９】
これら起立部１７ａ、１７ｂを備えることにより、フロント側筐体構成部材４及びリア側筐体構成部材５はそれぞれ筐体防水ガスケット１２を圧縮する方向の剛性が増すので、これらフロント側筐体構成部材４及びリア側筐体構成部材５によって、より強い力で筐体防水ガスケット１２を圧縮できるようになっている。
【００６０】
また、リア側筐体構成部材５の起立部１７ｂの先端面が突き当てられて、該起立部１７ｂに対し反力を与える反力付与面４１が、フロント側筐体構成部材４に形成されている。すなわち、フロント側筐体構成部材４及びリア側筐体構成部材５のうちの何れか一方の筐体構成部材（例えば、リア側筐体構成部材５）の起立部（例えば、起立部１７ｂ）の先端面が突き当てられて、当該起立部１７ｂに対し反力を与える反力付与面４１が、フロント側筐体構成部材４及びリア側筐体構成部材５のうちの何れか他方の筐体構成部材（例えば、フロント側筐体構成部材４）に形成されている。
【００６１】
この反力付与面４１により、起立部１７ｂに対して反力を付与できるため、リア側筐体構成部材５によって強い力で筐体防水ガスケット１２を圧縮することができるとともに、筐体防水ガスケット１２の圧縮に伴って生じる筐体防水ガスケット１２の反発力のためにフロント側筐体構成部材４とリア側筐体構成部材５との間隔が広がってしまうことを抑制できるようになっている。
【００６２】
なお、反力付与面４１は、リア側筐体構成部材５の周囲に沿って延在するようにフロント側筐体構成部材４に形成されたループ状の面であっても良いが、本実施形態の場合、例えば、リア側筐体構成部材５の周囲に沿って間欠的にフロント側筐体構成部材４に形成された、フック形状の嵌合フック１８ａ（図６、図３参照）に、それぞれ反力付与面４１が形成されている。対して、リア側筐体構成部材５の起立部１７ｂにおいて各嵌合フック１８ａと相対する部位には、切り欠き部１８ｂ（図３、図６参照）がそれぞれ形成されている。つまり、フロント側筐体構成部材４及びリア側筐体構成部材５のうちの前記何れか他方の筐体構成部材（例えば、フロント側筐体構成部材４）には、前記何れか一方の筐体構成部材（例えば、リア側筐体構成部材５）の起立部１７ｂの先端面に形成された切り欠き部１８ｂに対して嵌合する嵌合フック１８ａが形成され、該嵌合フック１８ａに反力付与面４１が形成されている。このため、フロント側筐体構成部材４とリア側筐体構成部材５とを組み付けた状態では、各嵌合フック１８ａは、対応する切り欠き部１８ｂに対してそれぞれ嵌合し、その反力付与面４１により、切り欠き部１８ｂ（つまり起立部１７ｂの先端面でもある）に対して反力を付与できるようになる。
【００６３】
フロント側筐体構成部材４とリア側筐体構成部材５とは、例えば、複数（図３に示すように、例えば４つ）の筐体締結ねじ３１により相互に締結されている。そして、上述の嵌合フック１８ａと切り欠き部１８ｂとの嵌合、並びに、これら筐体締結ねじ３１による締結によって、リア側筐体構成部材５の外側への開き（膨らみ）は規制され、フロント側筐体構成部材４とリア側筐体構成部材５との組み付け状態が維持される。
【００６４】
なお、起立部１７ａの先端は、少なくとも反力付与面４１よりも図６の下方まで伸びている。このため、起立部１７ａの先端部により嵌合フック１８ａの強度が向上し、その反力付与面４１によって好適に起立部１７ｂの先端面へ反力を付与できるようになっている。
【００６５】
また、保護スクリーン８とフロント側筐体構成部材４との間の防水は、例えば、防水両面テープ３２を介して保護スクリーン８をフロント側筐体構成部材４に対して貼付することにより実現する。
【００６６】
次に、ＲＥＣユニット１の組み立て方法の一例を説明する。この説明は、本実施形態に係る筐体防水構造の組み立て方法、及び携帯機器の製造方法の説明を兼ねる。
【００６７】
先ず、フロント側筐体構成部材４の側壁部の内側の所定位置に、内側配設部材（例えば、主回路ＦＰＣ基板６（スピーカ２２を含む）、スピーカフレーム２４、表示デバイスモジュール７、ＬＣＤフレーム２５、タッチセンサーモジュール２３、タッチセンサーフレーム２６を含む）を配設する（図４の状態）。
【００６８】
次に、フロント側筐体構成部材４の配設領域４０に筐体防水ガスケット１２を配設する（図５の状態）。
【００６９】
ここで、上述のように、内側配設部材の外周面１５と筐体防水ガスケット１２の内周面との間にはクリアランス２７が、筐体防水ガスケット１２の外周面とフロント側筐体構成部材４の側壁部の内周面１３との間にはクリアランス２８が、それぞれ存在する。このため、配設領域４０への筐体防水ガスケット１２の配設作業は、筐体防水ガスケット１２を引き伸ばして張力を付与しながらの作業ではなく、単に筐体防水ガスケット１２を配設領域４０へ落とし込むだけの作業で良い。
【００７０】
しかも、筐体防水ガスケット１２の断面形状は円形であるとともに、筐体防水ガスケット１２の全体的な平面形状は、左右対称且つ上下対称であるため、筐体防水ガスケット１２の上下と左右とを間違えないということだけに留意して、該筐体防水ガスケット１２を配設領域４０へ落とし込めばよい。
【００７１】
また、筐体防水ガスケット１２の内側には、内側配設部材の外周面１５が位置するため、この外周面１５により好適に筐体防水ガスケット１２を配設領域４０に位置決めすることができる。
【００７２】
次に、フロント側筐体構成部材４とリア側筐体構成部材５とを、嵌合フック１８ａと切り欠き部１８ｂとを相互に嵌合させながら相互に組み合わせて、筐体締結ねじ３１によりフロント側筐体構成部材４とリア側筐体構成部材５とを相互に締結する。これにより、フロント側筐体構成部材４とリア側筐体構成部材５とが相互に組み付けられて、筐体１ａが構成される（図６の状態）。
【００７３】
この組付けにより、フロント側筐体構成部材４の天板の内面１４とリア側筐体構成部材５の内面１６とは、それぞれ筐体防水ガスケット１２に対して接触して、該筐体防水ガスケット１２を両側から挟んで圧縮し合い、該筐体防水ガスケット１２にシール機能を生じさせる。すなわち、筐体防水ガスケット１２は、内面１４及び内面１６の双方に対し、それぞれ閉ループ形状の線状面（極小幅の面）で密着するので、この密着箇所３３、３４（図６）よりも内側への浸水が好適に抑制された筐体防水構造が実現される。
【００７４】
なお、ここでの動作は、フロント側筐体構成部材４の天板の内面１４とリア側筐体構成部材５の内面１６とにより筐体防水ガスケット１２を挟んで圧縮するだけである。より具体的には、それぞれ平坦面である内面１４と内面１６とを互いに平行に保ったままで、これら内面１４と内面１６との距離を近づけることにより、筐体防水ガスケット１２を挟んで圧縮するだけである。このため、筐体防水ガスケット１２がよじれてしまう問題は発生しにくい。よって、所望の防水性能を確実に得ることができる。しかも、筐体防水ガスケット１２に対して局所的に強い圧力が加わることも抑制できるため、筐体防水ガスケット１２が切断されてしまうことにより所望の防水性能が得られないという問題の発生も好適に抑制できる。
【００７５】
次に、動作（シール機能の発生メカニズム）を説明する。
【００７６】
圧縮状態の筐体防水ガスケット１２は反発力を生じ、フロント側筐体構成部材４の内面１４とリア側筐体構成部材５の内面１６との間隔を押し広げようとするが、筐体締結ねじ３１、嵌合フック１８ａの反力付与面４１、起立部１７ａ、１７ｂのそれぞれの機能により、その間隔の広がりは抑制されて、筐体防水ガスケット１２は圧縮状態に維持される。
【００７７】
また、筐体防水ガスケット１２によるシール箇所（上述の閉ループ形状の線状面）は、フロント側筐体構成部材４の天板の内面１４と筐体防水ガスケット１２との密着箇所３３と、リア側筐体構成部材５の天板の内面１６と筐体防水ガスケット１２との密着箇所３４と、の２箇所である。また、上述のように、保護スクリーン８とフロント側筐体構成部材４との間は、防水両面テープ３２により防水が施されている。このため、保護スクリーン８、フロント側筐体構成部材４、筐体防水ガスケット１２、及びリア側筐体構成部材５によって囲まれた空間が、外部から防水された防水空間となる。
【００７８】
なお、ＭＩＣユニット２の筐体防水構造については、その詳細な説明は省略するが、例えば、上述したような、ＲＥＣユニット１と同様の筐体防水構造とすることができる。これにより、ＭＩＣユニット２の筐体２ａについても、好適に外部から防水することができる。
【００７９】
以上のような実施形態によれば、筐体防水構造は、相互に対向するように組み付けられて筐体１ａを構成するフロント側筐体構成部材４及びリア側筐体構成部材５と、筐体１ａの内側に配設される内側配設部材と、フロント側筐体構成部材４及びリア側筐体構成部材５の双方に対して密着する筐体防水ガスケット１２と、を備える。そして、筐体防水ガスケット１２の配設領域４０は、内側配設部材の外周面１５と、フロント側筐体構成部材４の天板の内面１４と、フロント側筐体構成部材４の側壁部の内周面１３と、により画定されている。そして、配設領域４０に配設された筐体防水ガスケット１２が、フロント側筐体構成部材４の天板の内面１４と、リア側筐体構成部材５の天板の内面１６と、に挟まれることにより圧縮状態となって、これら双方の内面１４、１６に対して密着している。よって、その密着箇所３３、３４よりも内側の空間（具体的には、例えば、保護スクリーン８、フロント側筐体構成部材４、筐体防水ガスケット１２、及びリア側筐体構成部材５によって囲まれた空間）を好適に外部から防水し、十分な防水性能を得ることができる。
【００８０】
ここで、一般の筐体防水構造では、図７に示すように、溝２０を筐体に形成していた。しかし、この構造は、本質的に小型化の点で不利である。これは、溝２０を形成するには、筐体に外壁、底面部及び内壁１０３の３要素が必要であるからである。これら３要素のうち、外壁と内壁では型成型での最小肉厚が、底面部では筐体防水ガスケット１９の幅の最小寸法が、小型化に際して制約となる。しかし、携帯電話機１００などの携帯電子機器をはじめとする携帯機器に対しては、その携帯性の向上のため、常に、薄型化並びに小型化の要求がある。例えば、携帯電話機１００などの携帯電子機器の場合、筐体及び各種機能デバイス自体の小型化、薄型化が進んでおり、それに伴い、筐体１ａの内部空間も薄型化、小型化されている。
【００８１】
このような事情に対し、本実施形態では、筐体に形成した溝２０（図７）に筐体防水ガスケットを配設するのではなく、内側配設部材の外周面１５と、フロント側筐体構成部材４の天板の内面１４と、フロント側筐体構成部材４の側壁部の内周面１３と、により画定された配設領域４０に筐体防水ガスケット１２を配設するため、筐体１ａが溝２０（図７）の内壁１０３（図７）に相当する構成を備える必要がない。よって、筐体１ａの平面寸法、ひいては携帯電話機１００の平面寸法を小型化することができる。
【００８２】
また、一般の筐体防水構造では、図７に示すように、筐体に溝２０及びリブ２１が形成されているが、これは、筐体の材料に、樹脂材料（高分子材料）、マグネシウム等の、型成型により成型できる材料を使用してきたからである。これに対し、薄型化及び小型化された携帯電子機器の筐体材料として用いられるステンレスなどの金属板金材料の場合、プレス成型により成型されるため、溝２０及び溝２０内に嵌るリブ２１を閉ループ形状で高精度に形成するのは容易ではない。しかも、リブ２１が存在する場合、筐体の薄型化に際しての制約となる。
【００８３】
このような事情に対し、本実施形態では、筐体防水ガスケット１２を圧縮する内面１４、１６は、金属板金により構成し、それぞれリブ２１（図７）に相当するような凸部を有さない平坦面に形成されている。これにより、筐体１ａの薄型化、ひいては携帯電話機１００の薄型化が実現されている。しかも、リア側筐体構成部材５はリブを形成する樹脂部を必要とせず金属板金のみで構成することができ、リア側筐体構成部材５の製造を、一体成型を含むものと比べ簡易にすることができる。
【００８４】
このように、本実施形態に係る筐体防水構造により、筐体１ａの小型化、薄型化が実現されている。換言すれば、本実施形態に係る筐体防水構造は、極力厚みを小さくし、小型化した構成の筐体にも好適に適用できる。
【００８５】
ところで、一般の筐体防水構造では、図７に示すように、溝２０（図７）の内周よりも筐体防水ガスケット１９の内周を短く設定していた。これは、筐体防水ガスケット１９に張力を付与した状態で該筐体防水ガスケット１９を溝２０内に配設することにより、溝２０内に筐体防水ガスケット１９を保持させるとともに、筐体防水ガスケット１９の傾きを矯正させるためでもある。しかし、このように筐体防水ガスケット１９に張力を付与しながら該筐体防水ガスケット１９を溝２０内に実装する場合、筐体防水ガスケット１９が小型化、薄型化するほど、その実装作業は困難なものとなる。
【００８６】
これに対し、本実施形態では、筐体防水ガスケット１２を配設領域４０に配設した状態で、かつ、少なくとも筐体防水ガスケット１２を内面１４と内面１６とにより挟んで圧縮状態とする前の状態では、内側配設部材の外周面１５と筐体防水ガスケット１２の内周面との間にはクリアランス２７（図６参照）が、筐体防水ガスケット１２の外周面とフロント側筐体構成部材４の側壁部の内周面１３との間にはクリアランス２８（図６参照）が、それぞれ存在するように、フロント側筐体構成部材４、リア側筐体構成部材５及び筐体防水ガスケット１２の寸法及び形状がそれぞれ設定されている。このため、筐体防水ガスケット１２を配設領域４０へ配設する作業は、筐体防水ガスケット１２を引き伸ばして張力を付与しながらの作業ではなく、単に筐体防水ガスケット１２を配設領域４０へ落とし込むだけの作業で良い。筐体防水ガスケット１２の配設作業は、筐体１ａの小型化、薄型化が進むほど、小さい寸法の筐体防水ガスケット１２を狭い配設領域４０へ配設するという困難な作業となるが、このように、配設作業を容易化することにより、筐体防水構造の小型化、薄型化、ひいては携帯電話機１００の小型化、薄型化を問題なく進めることが可能となる。
【００８７】
なお、このようなクリアランス２７、２８を設定したことにより、筐体防水ガスケット１２の圧縮を、内面１４と内面１６とを相互に近づける方向の１軸方向の動作のみで行うようにでき、筐体防水ガスケット１２を圧縮動作の挙動を複雑なものとしない利点がある。
【００８８】
また、一般の筐体防水ガスケット１９の断面形状はダイヤ形状、若葉形状（図７）等であるが、この断面形状では、筐体防水ガスケット１９が筐体の溝２０内で傾くと、筐体防水ガスケット１９と筐体との接触及び筐体防水ガスケット１９の圧縮が不十分となり、シール機能が不足する場合がある。このため、このような筐体防水ガスケット１９は、筐体の溝２０の内部での傾きに対する許容量が小さいので、溝２０への配設作業時に筐体防水ガスケット１９が傾かないように留意する必要がある。一般の形状の筐体防水ガスケット１９の断面寸法を、薄型化及び小型化した筐体の内部に実装可能となるような小さい寸法とした場合、その筐体防水ガスケット１９を傾かないように留意しながら溝２０内へ配設する作業の難度が増大する。このため、携帯機器の薄型化及び小型化に伴い、筐体防水ガスケット１９の断面寸法も小型化していくと、ますます筐体防水ガスケット１９の配設作業の難度も増大し、その配設作業の実施は現実的でなくなる。
【００８９】
これに対し、本実施形態の場合の筐体防水ガスケット１２の形状により筐体組み付け作業の段階で生じる効果を説明すると、筐体防水ガスケット１２の断面形状は、単純な円形状である。円形状は傾いても（回転しても）断面形状は同じ円形状なので、配設領域４０内での筐体防水ガスケット１２の傾きの許容量が、若葉形状（図７）或いはダイヤ形状と比べ増大する。これにより、配設領域４０への筐体防水ガスケット１２の配設作業時の筐体防水ガスケット１２の傾きへの留意を緩和させ、作業の難易度を下げることができるとともに、携帯電話機１００の使用状況下での防水機能の信頼性を維持することにも繋がる。
【００９０】
次に、組み付け状態の筐体１ａと筐体防水ガスケット１２との関係による効果を説明する。筐体防水ガスケット１２にシール機能を発揮させるには筐体防水ガスケット１２の圧縮が必要である。しかし、圧縮された筐体防水ガスケット１２は反発力を発生するので、圧縮を維持するには組み付け状態の筐体１ａに、この反発力に対する耐力が求められる。このような事情に対し、フロント側筐体構成部材４及びリア側筐体構成部材５の各々の内面１４、１６は金属板金により構成している。さらに、圧縮された筐体防水ガスケット１２の近傍位置に、嵌合フック１８ａを配置し、圧縮された筐体防水ガスケット１２の反発力による筐体１ａの内面１４、１６の間隔の拡張を抑制している。さらに、筐体防水ガスケット１２の近傍位置に、起立部１７ａ、１７ｂを配置し、筐体１ａの剛性を増加させている。
【００９１】
すなわち、フロント側筐体構成部材４及びリア側筐体構成部材５の各々において、少なくとも筐体防水ガスケット１２を圧縮する双方の内面１４、１６は、金属板金からなるので、これら内面１４、１６の剛性が増し、フロント側筐体構成部材４及びリア側筐体構成部材５によって、より強い力で筐体防水ガスケット１２を圧縮することができる。
【００９２】
また、フロント側筐体構成部材４及びリア側筐体構成部材５の双方の金属板金は、筐体防水ガスケット１２の近傍位置から筐体防水ガスケット１２を圧縮する方向又はその反対方向に向けて起立するように折り曲げ形成された起立部１７ａ、１７ｂを有するので、フロント側筐体構成部材４及びリア側筐体構成部材５はそれぞれ筐体防水ガスケット１２を圧縮する方向の剛性が増し、これらフロント側筐体構成部材４及びリア側筐体構成部材５によって、より強い力で筐体防水ガスケット１２を圧縮することができる。
【００９３】
また、リア側筐体構成部材５の起立部１７ｂの先端面が突き当てられて、該起立部１７ｂに対し反力を与える反力付与面４１が、フロント側筐体構成部材４に形成されているので、この反力付与面４１により、起立部１７ｂに対して反力を付与できる。よって、リア側筐体構成部材５によって強い力で筐体防水ガスケット１２を圧縮することができるとともに、筐体防水ガスケット１２の圧縮に伴って生じる筐体防水ガスケット１２の反発力のためにフロント側筐体構成部材４とリア側筐体構成部材５との間隔が広がってしまうことを抑制できる。
【００９４】
また、フロント側筐体構成部材４には、リア側筐体構成部材５の起立部１７ｂの先端面に形成された切り欠き部１８ｂに対して嵌合する嵌合フック１８ａが形成され、該嵌合フック１８ａに反力付与面４１が形成されている。このため、各嵌合フック１８ａは、対応する切り欠き部１８ｂに対してそれぞれ嵌合し、その反力付与面４１により、切り欠き部１８ｂ（つまり起立部１７ｂの先端面でもある）に対して反力を付与することができる。また、このような嵌合構造を備えるため、筐体締結ねじ３１の必要数を削減することができる。具体的には、例えば、筐体１ａの４隅でのみ筐体締結ねじ３１による締結を行い（図３参照）、その他の部分に適宜に嵌合フック１８ａと切り欠き部１８ｂとからなる嵌合構造を配置することにより、筐体１ａの周縁部の全域に亘って、筐体１ａの組み付け状態を好適に維持し、筐体の防水機能も維持することができるようになっている。
【００９５】
また、複数の部品（例えば、フレーム２４、２５、２６）が総体として内側配設部材の外周面１５を構成しているので、単一の部材により外周面１５を構成する必要が無く、内部配設部のレイアウト構造の自由度を高めることができる。特に、内側配設部材の少なくとも一部分は、筐体１ａの厚さ方向において相互に重ねられた複数の部品（例えば、フレーム２４、２５、２６）により構成された層構造をなし、この層構造の外周面により、内側配設部材の外周面の少なくとも一部（例えば、外周面１５の全体）が構成されているので、筐体１ａの厚さ方向における内部配設部のレイアウト構造の自由度も高めることができる。
【００９６】
上記の実施形態で説明した各構成要素には以下に説明するような変形を加えることも可能である。
【００９７】
例えば、リア側筐体構成部材５の天板の内面１６に内側配設部材を固定して保持させた後、内側配設部材の外周面１５とリア側筐体構成部材５の天面の内面１６とにより画定されたＬ字形状の配設領域へ筐体防水ガスケット１２を組み込むようにしても良い（この場合、リア側筐体構成部材５が第１筐体構成部材）。この場合、筐体防水ガスケット１２の内周長を内側配設部材の外周面１５の周長より短くし、筐体防水ガスケット１２に張力を付与しながら外周面１５の周囲に筐体防水ガスケット１２を配置することも好ましい。なお、この場合も、フロント側筐体構成部材４の側壁部が筐体防水ガスケット１２の周囲に位置する。更に、この場合も、筐体防水ガスケット１２を配設領域に配設した状態で、かつ、少なくとも筐体防水ガスケット１２を圧縮状態とする前の状態では、内側配設部材の外周面１５と筐体防水ガスケット１２の内周面との間にはクリアランスが存在する構造とすることができる。
【００９８】
また、筐体防水ガスケット１２の断面形状を、筐体１ａの厚さ方向を長軸とする長円、又は楕円形状としても良い。この場合、筐体防水ガスケット１２の断面における高さ寸法（筐体１ａの厚さ方向の寸法）と、幅寸法（筐体１ａの平面方向の寸法）とが異なるので、筐体１ａの厚さ寸法及び平面寸法に応じて、筐体防水ガスケット１２の断面における高さ寸法と幅寸法とをそれぞれ独立的に、適宜の寸法に調節し最適化することができ、また、筐体防水ガスケット１２の断面形状の自由度も高まる。
【００９９】
また、フロント側筐体構成部材４の内面１４とリア側筐体構成部材５の内面１６とのうち少なくとも何れか一方に、他方に向けて突出する絞り段差形状（他方に向けて縮径する凸部）を設けることにより、筐体防水ガスケット１２が接触する内面１４と内面１６との間隔を、筐体１ａにおける他の部分での内面１４と内面１６との間隔よりも狭めても良い。
【０１００】
また、フロント側筐体構成部材４の内面１４とリア側筐体構成部材５の内面１６とのうち少なくとも何れか一方に、スペーサを（例えば貼付によって）配設することにより、筐体防水ガスケット１２が接触する内面１４と内面１６との間隔を、筐体１ａにおける他の部分での内面１４と内面１６との間隔よりも狭めても良い。ただし、スペーサと内面１４、１６との境界は防水する必要があるため、例えば、防水両面テープを用いてスペーサを内面１４、１６に貼り付けると良い。
【０１０１】
また、フロント側筐体構成部材４及びリア側筐体構成部材５は、金属板金を含まない構成としても良い。例えば、樹脂材料（高分子材料）、マグネシウム等のように、型成型で作成するものであっても良い。
【図面の簡単な説明】
【０１０２】
【図１】実施形態に係る携帯機器の好適な一例としての携帯電話機の全体斜視図である。
【図２】図１の携帯電話機が備える一対のユニットのうち一方のユニットの分解斜視図である。
【図３】図１の携帯電話機が備える一対のユニットのうち一方のユニットの分解斜視図であり、図２の反対側を見せている。
【図４】図１の携帯電話機が備える一対のユニットのうち一方のユニットの要部拡大の分解斜視図である。
【図５】図４の状態から筐体防水ガスケットを配設領域へ配設した状態を示す斜視図である。
【図６】筐体構成部材を組み付けた状態での図２のＡ−Ａ線に沿った断面図である。
【図７】一般的な筐体防水構造を示す図であり、携帯電子機器の要部の断面を示す。
【符号の説明】
【０１０３】
１ ＲＥＣユニット
１ａ 筐体
２ ＭＩＣユニット
２ａ 筐体
３ スライドユニット
４ フロント側筐体構成部材
５ リア側筐体構成部材
６ 主回路ＦＰＣ基板
７ 表示デバイスモジュール
８ 保護スクリーン
９ フロント側板金筐体構成部
９ａ 開口部
１０ フロント側樹脂筐体構成部
１２ 筐体防水ガスケット
１３ 内周面
１４ フロント側筐体構成部材の天板の内面
１５ 内側配設部材の外周面
１６ リア側筐体構成部材の天板の内面
１７ａ 起立部
１７ｂ 起立部
１８ａ 嵌合フック
１８ｂ  切り欠き部
２２ スピーカ
２３ タッチセンサーモジュール
２４ スピーカフレーム
２５ ＬＣＤフレーム
２６ タッチセンサーフレーム
２７ クリアランス
２８ クリアランス
３１ 筐体締結ねじ
３２ 防水両面テープ
３３ 密着箇所
３４ 密着箇所
４０ 配設領域
４１ 反力付与面
１００ 携帯電話機
【図１】
2010147551.tif 000003
【図２】
2010147551.tif 000004
【図３】
2010147551.tif 000005
【図４】
2010147551.tif 000006
【図５】
2010147551.tif 000007
【図６】
2010147551.tif 000008
【図７】
2010147551.tif 000009